(57)【要約】  取付部材を備えることなく、簡単な構成で確実に、パネル保持部材及びベゼルの少なくとも一方を、発光素子実装基板を傷つけることなく、該基板の保持板に取り付けることができ、しかもパネル保持部材に配する駆動回路基板の大面積化にも対応することができる表示装置を提供する。  ＴＶ受信機の表示モジュール２は、導光板２３と、複数のＬＥＤ３１を有する基板３０を保持し、導光板２３の側面に対向して配される基板保持板２４と、導光板２３の主面に対向して配される表示パネル２１と、基板保持板２４を覆うとともに表示パネル２１を保持するパネル保持部材２６と、表示パネル２１の周縁部及びパネル保持部材２６を覆うベゼル２７とを備える。基板保持板２４には、表示パネル２１と反対側に突出する取付部２４３が延設され、パネル保持部材２６及びベゼル２７の少なくとも一方が、ねじ３２により取付部２４３に取り付けられるように構成されている。
2015063883.tif 000002
【特許請求の範囲】
【請求項１】
導光板と、複数の発光素子を有する基板を保持し、前記導光板の側面に対向して配される基板保持板と、前記導光板の主面に対向して配される表示パネルと、前記基板保持板を覆うとともに前記表示パネルを保持するパネル保持部材と、前記表示パネルの周縁部及び前記パネル保持部材を覆うベゼルとを備える表示装置において、
前記基板保持板には、前記表示パネルと反対側に突出する取付部が延設され、
前記パネル保持部材及び前記ベゼルの少なくとも一方が、留め具により前記取付部に取り付けられるように構成されていることを特徴とする表示装置。
【請求項２】
前記基板保持板に垂直に設けられ、前記導光板の平面を被覆する導光板被覆板を備えることを特徴とする請求項１に記載の表示装置。
【請求項３】
前記パネル保持部材の前記基板保持板を覆う部分の外側に、前記表示パネルを駆動するための複数の駆動回路基板が設けられており、
前記パネル保持部材の前記駆動回路基板間の部分を、前記留め具により前記取付部に取り付けてあることを特徴とする請求項１又は２に記載の表示装置。
【請求項４】
前記パネル保持部材の前記基板保持板を覆う部分の外側に、前記表示パネルを駆動するための複数の駆動回路基板が設けられており、
前記駆動回路基板は、隣接する駆動回路基板と対向する部分における前記表示パネルと反対側に凹部を有し、該凹部に対応する前記パネル保持部材の部分を、前記留め具により前記取付部に取り付けてあることを特徴とする請求項１又は２に記載の表示装置。
【請求項５】
前記パネル保持部材の前記基板保持板を覆う部分の外側に、前記表示パネルを駆動するための複数の駆動回路基板が設けられており、
前記パネル保持部材の長手方向の端部の前記駆動回路基板が設けられていない部分を、前記留め具により前記取付部に取り付けてあることを特徴とする請求項１又は２に記載の表示装置。
【請求項６】
前記パネル保持部材の前記基板保持板を覆う部分の外側に、前記表示パネルを駆動するための複数の駆動回路基板が設けられており、
前記パネル保持部材の前記駆動回路基板が設けられている部分に対し、前記表示パネルと反対側の部分を、前記留め具により前記取付部に取り付けてあることを特徴とする請求項１又は２に記載の表示装置。
【請求項７】
前記取付部に、前記ベゼル側に突出して該ベゼルの裏面に当接する当接部が設けられていることを特徴とする請求項１から６までのいずれか１項に記載の表示装置。
【請求項８】
前記取付部に、放熱のためのフィンが設けられていることを特徴とする請求項１から７までのいずれか１項に記載の表示装置。
【発明の詳細な説明】
【技術分野】
【０００１】
本発明は、エッジライト方式のバックライトを有する表示装置に関する。
【背景技術】
【０００２】
液晶表示装置は、薄型、低消費電力を特徴とし、近年、その表示品位の向上により、従来のＣＲＴに代わるディスプレイとして普及しており、テレビジョン受信機（以下、ＴＶ受信機という）の画像表示装置としても幅広く用いられている。液晶表示装置は、自己発光型のデバイスとは異なり、光源としてのバックライトを必要とし、液晶の電気光学特性により決定される光透過率を制御して画像を表示する。【０００３】
バックライトにはエッジライト方式（サイドライト方式、導光板方式）と直下型方式とがある。
エッジライト型のバックライトを有する液晶表示装置としては、薄型化、軽量化、狭額縁化を実現するために、矩形箱状のシャーシに、導光板、光学シート、及びＬＥＤ(Light Emitting Diode)基板を収納してなるバックライトユニットを液晶表示パネル（以下、表示パネルという）の背面に配した表示モジュールをフレームで覆ったものが挙げられる。ＬＥＤ基板は、細長い基板の平面に、複数のＬＥＤを実装してなる。バックライトユニットが片側のエッジライト型である場合、ＬＥＤ基板は、矩形板状の導光板の例えば一方の長側面に配される。ＬＥＤから発光し、導光板の長側面に入射した光は導光板の主面から出射して、液晶表示パネルの背面を照射する。【０００４】
ＬＥＤ基板は、シャーシの導光板の前記長側面に対向する側板に取り付けられる場合と、シャーシが該側板を有さず、側面視がＬ字状をなすＬＥＤ基板保持板の短辺部分に取り付けられる場合とがある。後者の場合、ＬＥＤ基板保持板の長辺部分がシャーシに連結される。
表示パネルは矩形枠状をなすパネル保持部材に保持されており、該パネル保持部材はＬＥＤ基板及びＬＥＤ基板保持板も覆うように構成されている。
そして、表示パネルの周縁部及びパネル保持部材は、矩形枠状をなすベゼルにより覆われている。【０００５】
前記ＬＥＤ基板保持板等の、バックライトユニットのＬＥＤ基板を保持する部分に、前記パネル保持部材及びベゼルを固定するためには、ビスが使用されている。
上述の薄型化及び狭額縁化の設計制約があり、また、近年、４Ｋ２Ｋ等の高解像度化、高精細化に対応して、パネル保持部材の外面に配するソース基板等が大型化（大面積化）しており、パネル保持部材の前記外面に対応する内面側にＬＥＤ基板を配する場合、ビス固定のためのスペースを十分に取ることができないという問題がある。【０００６】
狭額縁化を図った液晶表示装置として、特許文献１の発明が開示されている。
図１３は、特許文献１の液晶表示装置を示す一部断面図である。
この液晶表示装置は、表示パネル２１、パネル保持部材２６、ベゼル２７、及び取付部材３９を備える。パネル保持部材２６は側部を有し、表示パネル２１を保持する。ベゼル２７は、表示パネル２１の周縁部を覆う前板部２７２と、パネル保持部材２６の側部と略平行に延び、かつねじ挿通孔２７５を有する側板部２７１とを有する。取付部材３９は略Ｕ字状をなし、パネル保持部材２６の側部に着脱可能に取り付けられ、かつベゼル２７の前記ねじ挿通孔２７５を挿通されたねじ４０が捩じ込まれる雌ねじ３９１を有する。【０００７】
この表示装置は上述のように取付部材３９を備えており、この取付部材３９を配する分、額縁領域が広くなり、狭額縁化を図ることができず、製造単価も高くなるという問題がある。
また、略Ｕ字状をなす取付部材３９がパネル保持部材２６の側部に嵌められる構成であり、ねじ４０が雌ねじ３９１に締め付けられるときに位置ずれが生じる可能性もあり、取付部材３９のパネル保持部材２６への固定が弱いと考えられる。
そして、この取付構造においては、パネル保持部材２６の外面に間隔を小さくした状態で複数のソース基板を配置するという要求に対応することができないという問題がある。【０００８】
図１４は、従来の他の表示モジュールを示す一部縦断面図である。
この表示モジュールは、表示パネル２１と、例えば３枚の光学シートからなる光学シート群２２と、導光板２３と、基板保持板２４と、パネル保持部材２６と、ベゼル２７と、ＬＥＤ基板３０と、反射シート３８と、取付部材４１とを備える。
複数のＬＥＤ３１を実装してなるＬＥＤ基板３０は、導光板２３の長側面に対向して配された状態で、基板保持板２４に支持されている。【０００９】
基板保持板２４は例えばアルミニウムからなり、導光板２３の下側の長側面を覆う下板部２４１と、該下板部２４１に垂直に設けられ、導光板２３の長手方向に沿って延びる背板部２４２とを備える。【００１０】
反射シート３８は白色のシートであり、例えば、ＰＥＴ（ポリエチレンテレフタラート）、ＰＣ（ポリカーボネート）等の光反射性を有する樹脂材料により形成されている。反射シート３８は、背板部２４２にスペーサ２９を介して設けられている。反射シート３８の外面に導光板２３が設けられている。【００１１】
光学シート群２２は、拡散シート、レンズシート及び反射型偏光シート等を含むシート群であり、導光板２３の主面の前側に配置されている。【００１２】
パネル保持部材２６は、下板部２６１と、パネル当接部２６２と、シート当接部２６３とを有する。
下板部２６１は水平方向に延びており、基板保持板２４の下板部２４１に当接され、下板部２４１を支持する。下板部２６１の下面には、ソース基板（不図示）が４つ配されている。下板部２４１の、隣接するソース基板が配される隙間部分には、ねじ挿通孔２６８が設けられている。
パネル当接部２６２は下板部２６１に立設され、緩衝部材３３を介し表示パネル２１の背面の下端縁部に当接されている。
パネル当接部２６１の上側にはシート当接部２６３が連設され、シート当接部２６３の背面は緩衝部材３４を介し光学シート群２２の正面の下部に当接されている。【００１３】
ベゼル２７は、側面視がＬ字状をなす枠体であり、側板部２７１と、前板部２７２とを有する。側板部２７１は水平方向に延びており、ソース基板、及びパネル保持部材２６の下板部２６１を覆う。前板部２７２は、側板部２７１に垂直に設けられ、背面が緩衝部材２８を介し表示パネル２１の正面の下端縁部に当接されている。前板部２７２の下部には、複数のねじ挿通孔２７８が設けられている。【００１４】
取付部材４１の下部には、複数の雌ねじ４１１が設けられている。取付部材４１は、基板保持板２４の背板部２４２の背面に取り付けられている。
そして、ねじ４２をねじ挿通孔２７８及び２６８を挿通させ、雌ねじ４１１に捩じ込むことにより、ベゼル２７及びパネル保持部材２６が基板保持板２４に取り付けられるように構成されている。【００１５】
この表示モジュールにおいては、取付部材４１を備えるので、表示モジュールの厚みが厚くなり、製造コストが高くなるとともに、パネル保持部材２６の下板部２６１のソース基板を配する間隙にねじ挿通構造を有するので、該間隙を小さくするという要求に対応することができないという問題がある。【００１６】
また、他のベゼル２７及びパネル保持部材２６の基板保持板２４への固定構造として、基板保持板２４の下板部２４１にスタッドをかしめ、スタッドに雌ねじを形成し、ベゼル２７の側板部２７１の外側からねじを、側板部２７１貫通させた状態で、前記雌ねじに捩じ込む構造がある。【００１７】
この場合、下板部２４１にスタッドを設けるので製造工程が煩雑になり、下板部２６１のソース基板を配する間隙にねじ締結構造を有するので、該間隙を小さくするという要求に対応することができないという問題がある。【００１８】
さらに、ベゼル２７及びパネル保持部材２６のバックライトユニットへの固定構造として、ＬＥＤ基板３０のＬＥＤ３１間の間隙に雌ねじを設け、ベゼル２７の側板部２７１の外側からねじを、側板部２７１を貫通させた状態で、前記雌ねじに捩じ込む構造が考えられる。【００１９】
この場合、ねじの雌ねじへの係り量が少なくなる、ねじがＬＥＤ基板３０に当たり、ＬＥＤ基板３０を傷つける虞があるという問題がある。
【先行技術文献】
【特許文献】
【００２０】
【特許文献１】特開２００１−３５６３２１号公報
【発明の概要】
【発明が解決しようとする課題】
【００２１】
本発明は上述の問題に鑑みてなされたものであり、取付のための別部品を追加することなく、簡単な構成で確実に、パネル保持部材及びベゼルの少なくとも一方を、発光素子実装基板を傷つけることなく、該基板の保持板に取り付けることができ、しかもパネル保持部材に配する駆動回路基板の大面積化にも対応することができる表示装置を提供することを目的とする。
【課題を解決するための手段】
【００２２】
本発明に係る表示装置は、導光板と、複数の発光素子を有する基板を保持し、前記導光板の側面に対向して配される基板保持板と、前記導光板の主面に対向して配される表示パネルと、前記基板保持板を覆うとともに前記表示パネルを保持するパネル保持部材と、前記表示パネルの周縁部及び前記パネル保持部材を覆うベゼルとを備える表示装置において、前記基板保持板には、前記表示パネルと反対側に突出する取付部が延設され、前記パネル保持部材及び前記ベゼルの少なくとも一方が、留め具により前記取付部に取り付けられるように構成されていることを特徴とする。【００２３】
本発明においては、新たに取付のための部品を備えることなく、基板保持板の形状を変更することにより、パネル保持部材及びベゼルの少なくとも一方の基板保持板への取付構造を得ており、留め具が例えばねじである場合、雌ねじとねじ挿通孔との位置ずれを小さく抑えることができ、固定の強度を保持することができる。
そして、前記取付部は、発光素子を有する基板が配された位置より背面側にあり、発光素子を有する基板が配され、複雑な取付構造を有する部分から離れており、パネル保持部材及びベゼルの少なくとも一方の基板保持板への取り付けを容易に確実に行うことができ、狭額縁化を図ることができる。
また、パネル保持部材にソース基板等の駆動回路基板を配する場合に、駆動回路基板の大面積化にも対応することができる。【００２４】
本発明に係る表示装置は、前記基板保持板に垂直に設けられ、前記導光板の平面を被覆する導光板被覆板を備えることを特徴とする。【００２５】
本発明においては、発光素子が発する熱を良好に放熱することができる。【００２６】
本発明に係る表示装置は、前記パネル保持部材の前記基板保持板を覆う部分の外側に、前記表示パネルを駆動するための複数の駆動回路基板が設けられており、前記パネル保持部材の前記駆動回路基板間の部分を、前記留め具により前記取付部に取り付けてあることを特徴とする。【００２７】
本発明においては、留め具による取付位置は駆動回路基板の間にあり、駆動回路基板の背面側端部より後側にあるのはなく、前側にあるので、表示装置の厚みを薄くすることができる。また、駆動回路基板の幅（縦幅）は、取付構造による制約を受けないので、大きく取ることができ、駆動回路基板の大面積化に対応させることができる。【００２８】
本発明に係る表示装置は、前記パネル保持部材の前記基板保持板を覆う部分の外側に、前記表示パネルを駆動するための複数の駆動回路基板が設けられており、前記駆動回路基板は、隣接する駆動回路基板と対向する部分における前記表示パネルと反対側に凹部を有し、該凹部に対応する前記パネル保持部材の部分を、前記留め具により前記取付部に取り付けてあることを特徴とする。【００２９】
本発明においては、隣接する駆動回路基板と対向する部分における背面側に凹部を有し、凹部内に取付構造を配する。従って、駆動回路基板の凹部の正面側の部分同士は近接させることができ、駆動回路基板の面積を大きく取ることができる。【００３０】
本発明に係る表示装置は、前記パネル保持部材の前記基板保持板を覆う部分の外側に、前記表示パネルを駆動するための複数の駆動回路基板が設けられており、前記パネル保持部材の長手方向の端部の前記駆動回路基板が設けられていない部分を、前記留め具により前記取付部に取り付けてあることを特徴とする。【００３１】
本発明においては、取付構造に制約されることなく、駆動回路基板をパネル保持部材に配することができる。【００３２】
本発明に係る表示装置は、前記パネル保持部材の前記基板保持板を覆う部分の外側に、前記表示パネルを駆動するための複数の駆動回路基板が設けられており、前記パネル保持部材の前記駆動回路基板が設けられている部分に対し、前記表示パネルと反対側の部分を、前記留め具により前記取付部に取り付けてあることを特徴とする。【００３３】
本発明においては、取付構造に制約されることなく、駆動回路基板をパネル保持部材に配することができる。【００３４】
本発明に係る表示装置は、前記取付部に、前記ベゼル側に突出して該ベゼルの裏面に当接する当接部が設けられていることを特徴とする。【００３５】
本発明においては、当接部をベゼルの裏面に当接することで、留め具によりベゼルを基板保持板に取り付けるときに、ベゼルの正面側の部分が外側に開くのが防止される。【００３６】
本発明に係る表示装置は、前記取付部に、放熱のためのフィンが設けられていることを特徴とする。【００３７】
本発明においては、フィンにより効率良く、発光素子からの熱が放熱される。
【発明の効果】
【００３８】
本発明によれば、基板保持板に、背面側に突出する取付部が延設され、パネル保持部材及びベゼルの少なくとも一方が、留め具により取付部に取り付けられるように構成されているので、新たに取付部品を備えることなく、簡単な構成で確実に、パネル保持部材及びベゼルの少なくとも一方を、発光素子実装基板を傷つけることなく、該基板の保持板に取り付けることができる。そして、パネル保持部材に配する駆動回路基板の大面積化にも対応することができる。
【図面の簡単な説明】
【００３９】
【図１】本発明の実施の形態１に係るＴＶ受信機の前側の外観斜視図である。
【図２】本発明の実施の形態１に係る表示モジュールを示す裏面図である。
【図３】図２のIII −III 線断面図である。
【図４】本発明の実施の形態１に係る表示モジュールを示す一部縦断面図である。
【図５】本発明の実施の形態２に係る表示モジュールを示す一部縦断面図である。
【図６】本発明の実施の形態３に係る表示モジュールのパネル保持部材を示す一部斜視図である。
【図７】本発明の実施の形態３に係る表示モジュールを示す一部縦断面図である。
【図８】本発明の実施の形態４に係るパネル保持部材を示す一部斜視図である。
【図９】本発明の実施の形態５に係るパネル保持部材を示す一部斜視図である。
【図１０】本発明の実施の形態６に係る表示モジュールを示す一部縦断面図である。
【図１１】本発明の実施の形態７に係る表示モジュールを示す一部断面図である。
【図１２】本発明の実施の形態８に係る表示モジュールを示す一部縦断面図である。
【図１３】特許文献１の液晶表示装置を示す一部断面図である。
【図１４】従来の他の表示モジュールを示す一部縦断面図である。
【発明を実施するための形態】
【００４０】
実施の形態１．
図１は本発明の実施の形態１に係るＴＶ受信機１の前側の外観斜視図、図２は表示モジュール２を示す裏面図、図３は図２のIII −III 線断面図、図４は表示モジュール２を示す一部縦断面図である。
【００４１】
ＴＶ受信機１は、横長であり、映像を表示する表示パネル２１を有する表示モジュール２と、アンテナ（不図示）から放送波を受信するチューナ５と、符号化された放送波を復号するデコーダ６とを備える。ＴＶ受信機１は、チューナ５にて受信した放送波をデコーダ６で復号し、復号した情報に基づいて表示モジュール２に映像を表示する。ＴＶ受信機１の下部には、ＴＶ受信機１を支持するスタンド７を設けてある。
【００４２】
表示モジュール２は、前後に縦姿勢で配置された前キャビネット３及び後キャビネット４に縦姿勢で収容されている。前キャビネット３は表示モジュール２の周縁部を覆う矩形状の枠体であり、中央に矩形の開口３ａを有する。前キャビネット３は例えば合成樹脂からなる。後キャビネット４は、前側が開放された矩形のトレイ状をなし、例えば合成樹脂からなる。なお、前キャビネット３及び後キャビネット４は他の材料から構成してもよい。
【００４３】
前キャビネット３及び後キャビネット４の上下及び左右寸法は略同一であり、互いの周縁部分が対向する。表示パネル２１の上下及び左右寸法は、前キャビネット３の開口３ａよりも若干大きく、表示パネル２１の周縁部分は前キャビネット３の内縁部分と対向している。
【００４４】
図３及び図４に示すように、表示モジュール２は、表示パネル２１と、例えば３枚の光学シートからなる光学シート群２２と、導光板２３と、基板保持板２４と、シャーシ２５と、パネル保持部材２６と、ベゼル２７と、ＬＥＤ基板３０と、ソース基板３５と、反射シート３８とを備える。
光学シート群２２、導光板２３、基板保持板２４、シャーシ２５、ＬＥＤ基板３０、及び反射シート３８によりバックライトユニットが構成される。
【００４５】
表示パネル２１は、複数のカラーフィルタを有するカラーフィルタ基板と、カラーフィルタ基板に対向して配置され、スイッチング素子である複数の薄膜トランジスタ（Thin Film Transistor、以下、ＴＦＴという）を有するアクティブマトリクス基板（ＴＦＴ基板）と、カラーフィルタ基板とアクティブマトリクス基板との間に表示媒体層として設けられた液晶層とを有する。
【００４６】
導光板２３は矩形板状（直方体状）をなし、表示パネル２１側に対向する主面と、主面の反対面でシャーシ２５に対向する裏面と、一対の長側面と、一対の短側面とを有する。そして、下側の長側面が、導光板２３内に光を導入するための光入射面として機能し、該長側面から導光板２３内へ導入された光は、導光板２３の主面（出射面）から表示パネル２１側に向かって出射する。
【００４７】
シャーシ２５は例えば鉄からなり、表示パネル２１側が開口されたトレイ状をなす。
図２及び図３に示すように、シャーシ２５は、複数のねじ３７を用いて、下部が基板保持板２４と連結されている。
【００４８】
基板保持板２４は例えばアルミニウムからなり、導光板２３の下側の長側面を覆う下板部２４１と、該下板部２４１に垂直に設けられ、導光板２３の長手方向に沿って延びる背板部２４２と、下板部２４１の背面側端部から後方に突出した取付部２４３とを備える。取付部２４３は下板部２４１の下端縁部に沿って延びる。基板保持板２４は、側面視が逆Ｔ字状をなす。取付部２４３には、複数の雌ねじ２４４が設けられている。
基板保持板２４はアルミニウム製であり、ＬＥＤ３１からの熱を放熱するヒートスプレッダとしても機能する。
なお、取付部２４３は連続した板状である場合に限定されるものではなく、ねじ３２の締結位置に応じて、不連続に複数設けることにしてもよい。
【００４９】
シャーシ２５と基板保持板２４との連結部分の横方向の中央部には、メイン基板保持部材２５１が取り付けられている。メイン基板保持部材２５１には、前記チューナ５及びＣＰＵ等を備えるメイン基板が設けられている。
シャーシ２５及び基板保持板２４に、光学シート群２２、導光板２３、及びＬＥＤ基板３０が収納される。なお、バックライトユニットの光源はＬＥＤに限定されるものではない。
【００５０】
反射シート３８は白色のシートであり、例えば、ＰＥＴ、ＰＣ等の光反射性を有する樹脂材料により形成されている。反射シート３８は、基板保持板２４の背板部２４２、及びシャーシ２５の底部に複数のスペーサ２９を介して設けられている。
反射シート３８の外面に、導光板２３が設けられている。
【００５１】
光学シート群２２は、拡散シート、レンズシート及び反射型偏光シート等を含むシート群であり、導光板２３の主面の前側に配置されている。そして、この光学シート群２２によって、導光板２３の主面から出射された光の拡散及び集光等が行われる。
【００５２】
ＬＥＤ基板３０は、例えばアルミニウム製の基板の平面に、導光板２３内へ導入する光を発光する複数のＬＥＤ３１を実装してなり、上述したように導光板２３の下側の長側面側に配されている。ＬＥＤ基板３１は、前記長側面に沿って延び、各ＬＥＤ３１が導光板２３の長側面と対向する。
ＬＥＤ基板３０は、基板保持板２４の下板部２４１の上面に保持されている。
【００５３】
パネル保持部材２６は例えば合成樹脂からなり、側面視がＬ字状をなす枠体であり、下板部２６１と、パネル当接部２６２と、シート当接部２６３と、ベゼル当接部２６４とを有する。
下板部２６１は水平方向に延びており、基板保持板２４の下板部２４１に当接され、下板部２４１を支持する。下板部２６１の下面には、ソース基板３５が例えば４つ配されている。ソース基板３５はフレキシブル配線板３６により表示パネル２１のアクティブマトリクス基板に接続されている。
【００５４】
パネル当接部２６２は、下板部２６１に立設された立設部と、立設部の上側に連設され、側面視が横向きのＵ字型をなす当接部とを有する。当接部のＵ字の開口部に緩衝部材３３が架かった状態で、当接部は表示パネル２１の背面の下端縁部に当接され、表示パネル２１を支持している。また、当接部の背面は、緩衝部材３４を介し導光板２３の正面の下端縁部に当接されている。そして、当接部の上面に光学シート群２２の下面が当接され、光学シート群２２が支持されている。
パネル当接部２６２の上側にはシート当接部２６３が連設され、光学シート群２２の背面の下部に当接されている。
下板部２４１の背面側の端部にはベゼル当接部２６４が垂設され、後述するベゼル２７のねじ頭係止部２７３に当接されるように構成されている。
【００５５】
ベゼル２７は例えば鉄からなり、側面視がＬ字状をなす枠体であり、側板部２７１と、前板部２７２と、ねじ頭係止部２７３とを有する。側板部２７１は水平方向に延びており、ソース基板３５、及びパネル保持部材２６の下板部２６１を覆う。前板部２７２は、側板部２７１に垂直に設けられ、背面が緩衝部材２８を介し表示パネル２１の正面の下端縁部に当接されている。すなわち、表示パネル２１は、緩衝部材２８、３３を介して、ベゼル２７とパネル保持部材２６とに挟持されている。
側板部２７１の背面側端部には、内側に凹んだ状態で後方に延びる、ねじ頭係止部２７３が設けられている。ねじ頭係止部２７３には、ねじ挿通孔２７４が設けられている。
【００５６】
本実施の形態においては、ねじ３２が、頭部の周縁部をねじ頭係止部２７３に係止し、脚部をねじ挿通孔２７４を挿通させた状態で、基板保持板２４の雌ねじ２４４に捩じ込まれている。
これにより、基板保持板２４にパネル保持部材２６及びベゼル２７の両方が固定されることになる。すなわち、新たに部材を備えることなく、基板保持板２４の形状を変更することにより、パネル保持部材２６及びベゼル２７の基板保持板２４への取付構造を得ており、雌ねじ２４４とねじ挿通孔２７４との位置ずれを小さく抑えることができ、固定の強度を保持することができる。
【００５７】
ねじ３２の締結位置は、ソース基板３５より背面側にあり、ＬＥＤ基板３０が配され、複雑な取付構造を有する部分から離れており、またソース基板３５の配置に制約されることもなく、基板保持板２４にパネル保持部材２６及びベゼル２７を容易に確実に固定することができる。そして、狭額縁化を図ることができる。また、ソース基板３５の間隙を小さくしてソース基板３５を大型化し、高解像度化等に対応することができる。
【００５８】
実施の形態２．
本発明の実施の形態２に係る表示モジュール１２は、基板保持板２４の形状が異なること以外は、実施の形態１に係る表示モジュール２と同様の構成を有する。
図５は、実施の形態２に係る表示モジュール１２を示す一部縦断面図である。図中、図１と同一部分は同一符号を付して詳細な説明を省略する。
基板保持板２４は例えばアルミニウムからなり、導光板２３の下側の長側面を覆う下板部２４１と、該下板部２４１に垂直に設けられ、導光板２３の長手方向に沿って延びる背板部２４２と、下板部２４１の背面側端部から突出した取付部２４３と、取付部２４３の下面に垂設され、ベゼル２７のねじ頭係止部２７３の上面に当接されるベゼル当接部２４５とを備える。
【００５９】
本実施の形態においては、ベゼル当接部２４５をねじ頭係止部２７３の裏面に当接することで、ねじ３２を基板保持板２４の雌ねじ２４４に締め付けるときに、ベゼル２７の前板部２７２が外側に開くのが防止される。
【００６０】
実施の形態３．
本発明の実施の形態３に係る表示モジュール１３は、ねじ３２の締結位置が異なること以外は、実施の形態１に係る表示モジュール２と同様の構成を有する。
図６は表示モジュール１３のパネル保持部材２６を示す一部斜視図、図７は表示モジュール１３の一部縦断面図である。図中、図４と同一部分は同一符号を付して詳細な説明を省略する。
表示モジュール１３のパネル保持部材２６のベゼル当接部２６４は、直方体状の部分と逆Ｕ字状の部分とからなる。ベゼル当接部２６４にベゼル２７が当接された上で、ねじ３２がねじ挿通孔２７４及びベゼル当接部２６４を挿通され、取付部２４３の雌ねじ２４４に捩じ込まれ、ベゼル２７及びパネル保持部材２６が基板保持板２４に固定される。
【００６１】
図６に示すように、ソース基板３５、３５がベゼル当接部２６４を挟むように、パネル保持部材２６にソース基板３５、３５が配されている。すなわち、ねじ３２の締結位置はソース基板３５、３５の間にあり、実施の形態１のようにソース基板３５の背面側端部より後側にあるのはなく、前側にある。従って、表示モジュール１３の厚みを薄くすることができる。また、実施の形態１に係る表示モジュール２と同様の厚みにした場合、ソース基板３５の幅を大きく取ることができ、ソース基板３５の大型化に対応させることができる。
【００６２】
実施の形態４．
本発明の実施の形態４に係る表示モジュールは、ソース基板３５の形状が異なること以外は、実施の形態３に係る表示モジュール１３と同様の構成を有する。
図８は実施の形態４に係るパネル保持部材２６を示す一部斜視図である。図中、図６と同一部分は同一符号を付して詳細な説明を省略する。なお、表示モジュールの断面の構成は図７の構成と同様である。
【００６３】
本実施の形態のソース基板３５は、隣接するソース基板３５と対向する部分における背面側に切り欠き３５１を有する。図８に示すように、切り欠き３５１の上側（正面側）同士は近接させることができ、ソース基板３５の面積を大きく取ることができ、高解像度化等に対応させることができる。
【００６４】
実施の形態５．
本発明の実施の形態５に係る表示モジュールは、ねじ３２の締結位置が異なること以外は、実施の形態３に係る表示モジュール１３と同様の構成を有する。
図９は実施の形態５に係るパネル保持部材２６を示す一部斜視図である。図中、図６と同一部分は同一符号を付して詳細な説明を省略する。断面の構成は図７の構成と同様である。
【００６５】
本実施の形態においては、ベゼル当接部２６４は、下板部２６１の横方向の両端部の、ソース基板３５が配されない部分に設けられている。ベゼル当接部２６４にベゼル２７が当接された上で、ねじ３２がねじ挿通孔２７４及びベゼル当接部２６４を挿通され、突出部２４３の雌ねじ２４４に捩じ込まれる。すなわち、ねじ３２の締結位置は、ソース基板３５の配置位置より端部側にあり、ソース基板３５の配置に制約されることなく、基板保持板２４にパネル保持部材２６及びベゼル２７を固定することができる。
【００６６】
実施の形態６．
本発明の実施の形態６に係る表示モジュール１４は、基板保持板２４の形状が異なること以外は、実施の形態１に係る表示モジュール２と同様の構成を有する。
図１０は実施の形態６に係る表示モジュール１４を示す一部縦断面図である。図中、図４と同一部分は同一符号を付して詳細な説明を省略する。
【００６７】
基板保持板２４は例えばアルミニウムからなり、導光板２３の下側の長側面を覆う下板部２４１と、該下板部２４１に垂直に設けられ、導光板２３の長手方向に沿って延びる背板部２４２と、下板部２４１の背面側端部から後方に突出した取付部２４３とを備える。取付部２４３は下板部２４１の下端縁部に沿って延びる。取付部２４３には複数の雌ねじ２４４が設けられており、雌ねじ２４４が設けられていない部分には、図１０に示すように、複数のフィン２４６が正背方向に並設されている。
【００６８】
本実施の形態においては、フィン２４６により効率良く、ＬＥＤ３１からの熱が放熱される。
【００６９】
実施の形態７．
本発明の実施の形態７に係る表示モジュール１５は、パネル保持部材２６の形状が異なること以外は、実施の形態１に係る表示モジュール２と同様の構成を有する。
図１１は実施の形態７に係る表示モジュール１５を示す一部断面図である。図中、図４と同一部分は同一符号を付して詳細な説明を省略する。
【００７０】
基板保持板２４は例えばアルミニウムからなり、導光板２３の下側の長側面を覆う下板部２４１と、該下板部２４１に垂直に設けられ、導光板２３の長手方向に沿って延びる背板部２４２と、下板部２４１の背面側端部から後方に突出した取付部２４３とを備える。取付部２４３には複数の雌ねじ２４４が設けられている。
【００７１】
パネル保持部材２６は側面視がＬ字状をなす枠体であり、下板部２６１と、パネル当接部２６２と、シート当接部２６３とを有する。実施の形態１に係るパネル保持部材２６と異なり、ベゼル当接部２６４は有しない。
下板部２６１は基板保持板２４の下板部２４１に当接され、下板部２４１を支持する。下板部２６１の下面には、ソース基板（不図示）が配されている。
パネル当接部２６２は、下板部２６１に立設された立設部と、立設部の上側に連設され、側面視が横向きのＵ字型をなす当接部とを有する。当接部のＵ字の開口部に緩衝部材３３が架かった状態で、当接部は表示パネル２１の背面の下端縁部に当接され、表示パネル２１を支持する。そして、当接部の上面に光学シート群２２の下面が当接され、光学シート群２２が支持されている。
パネル当接部２６１の上側にはシート当接部２６３が連設され、光学シート群２２の背面の下部に当接されている。
【００７２】
ベゼル２７は側面視がＬ字状をなす枠体であり、側板部２７１と、前板部２７２と、ねじ頭係止部２７３とを有する。側板部２７１は水平方向に延びており、ソース基板、及びパネル保持部材２６の下板部２６１を覆う。前板部２７２は、側板部２７１に垂直に設けられ、背面が緩衝部材２８を介し表示パネル２１の正面の下端縁部に当接されている。
側板部２７１の背面側端部には、内側に凹んだ状態で後方に延びる、ねじ頭係止部２７３が設けられている。ねじ頭係止部２７３には、ねじ挿通孔２７４が設けられている。
【００７３】
本実施の形態においては、ねじ３２をねじ挿通孔２７４を挿通させ、取付部２４３の雌ねじ２４４に捩じ込むことにより、ベゼル２７が基板保持板２４に取り付けられる。すなわち、新たに部品を備えることなく、基板保持板２４の形状を変更することにより、ベゼル２７の基板保持板２４への取付構造を得ており、雌ねじ２４４とねじ挿通孔２７４との位置ずれを小さく抑えることができ、固定の強度を保持することができる。
【００７４】
ねじ３２の締結位置は、ＬＥＤ基板３０が配され、複雑な取付構造を有する部分から離れており、またソース基板の配置に制約されることもなく、基板保持板２４にベゼル２７を容易に確実に固定することができる。狭額縁化を図ることができ、ソース基板の大型化にも対応することができる。
【００７５】
実施の形態８．
本発明の実施の形態８に係る表示モジュール１６は、ベゼル２７の形状が異なること以外は、実施の形態１に係る表示モジュール２と同様の構成を有する。
図１２は、実施の形態８に係る表示モジュール１６を示す一部縦断面図である。図中、図４と同一部分は同一符号を付して詳細な説明を省略する。
【００７６】
基板保持板２４は例えばアルミニウムからなり、下板部２４１と、背板部２４２と、下板部２４１の背面側端部から後方に突出した取付部２４３とを備える。取付部２４３には複数の雌ねじ２４４が設けられている。
【００７７】
パネル保持部材２６は側面視がＬ字状をなす枠体であり、下板部２６１と、パネル当接部２６２と、シート当接部２６３と、ねじ挿通孔２６５とを有する。実施の形態１に係るパネル保持部材２６と異なり、ベゼル当接部２６４は有しない。
下板部２６１は基板保持板２４の下板部２４１に当接され、下板部２４１を支持する。下板部２６１の下面には、複数のソース基板（不図示）が配されている。下板部２６１の背面側端部には複数のねじ挿通孔２６５が設けられている。
パネル当接部２６２は、下板部２６１に立設された立設部と、立設部の上側に連設され、側面視が横向きのＵ字型をなす当接部とを有する。当接部のＵ字の開口部に緩衝部材３３が架かった状態で、当接部は表示パネル２１の背面の下端縁部に当接され、表示パネル２１を支持する。そして、当接部の上面に光学シート群２２の下面が当接され、光学シート群２２が支持される。
パネル当接部２６１の上側にはシート当接部２６３が連設され、光学シート群２２の背面の下部に当接されている。
【００７８】
ベゼル２７は側面視がＬ字状をなす枠体であり、側板部２７１と、前板部２７２とを有する。実施の形態１に係る表示モジュール２と異なり、ねじ頭係止部２７３は有しない。側板部２７１は水平方向に延びており、ソース基板、及びパネル保持部材２６の下板部２６１を覆う。前板部２７２は、側板部２７１に垂直に設けられ、背面が緩衝部材２８を介し表示パネル２１の正面の下端縁部に当接されている。
【００７９】
本実施の形態においては、ねじ３２をねじ挿通孔２６５を挿通させ、取付部２４３の雌ねじ２４４に捩じ込むことにより、パネル保持部材２６が基板保持板２４に取り付けられる。すなわち、新たに部品を備えることなく、基板保持板２４の形状を変更することにより、パネル保持部材２６の基板保持板２４への取付構造を得ており、雌ねじ２４４とねじ挿通孔２６５との位置ずれを小さく抑えることができ、固定の強度を保持することができる。
【００８０】
ねじ３２の締結位置は、ＬＥＤ基板３０が配され、複雑な取付構造を有する部分から離れており、またソース基板の配置に制約されることもなく、基板保持板２４にパネル保持部材２６を容易に確実に固定することができる。狭額縁化を図ることができ、ソース基板の大型化にも対応することができる。
【００８１】
今回開示された実施の形態１〜８は、全ての点で例示であって、制限的なものではないと考えるべきである。本発明の範囲は、上述した意味ではなく、特許請求の範囲と均等の意味及び特許請求の範囲内での全ての変更が含まれることが意図される。
【００８２】
例えば、前記実施の形態１〜８においては、ＴＶ受信機１の表示モジュール２が片側エッジライト方式である場合につき説明しているがこれに限定されるものではなく、本発明は、両側エッジライト方式の表示モジュールにも適用することができる。
そして、ＬＥＤ基板３０を導光板２３の長側面側に配する場合につき説明しているがこれに限定されるものではなく、本発明は、ＬＥＤ基板３０が導光板２３の短側面側に配される場合にも適用することができ、パネル保持部材２６の外面にゲート基板が配される場合にも適用することができる。
【００８３】
さらに、基板保持版２４によりＬＥＤ基板３０が保持される場合に限定されるものではなく、下側に側板を有するシャーシを用い、該側板にＬＥＤ基板３０を保持することにしてもよい。この場合、該側板の背面側端部から後方に突出した取付部を備え、該取付部にベゼル２７及びパネル保持部材２６の少なくとも一方を取り付けることになる。
また、前記実施の形態１〜８においては、留め具としてねじ３２を用いた場合につき説明しているがこれに限定されるものではなく、ピン等であってもよい。
【符号の説明】
【００８４】
１  ＴＶ受信機
２、１２、１３、１４、１５、１６  表示モジュール
２１  表示パネル
２２  光学シート群
２３  導光板
２４  基板保持板
２４１  下板部
２４２  背板部（導光板被覆板）
２４３  取付部
２４４  雌ねじ
２４５  ベゼル当接部
２５  シャーシ
２６  パネル保持部材
２６１  下板部
２６２  パネル当接部
２６３  シート当接部
２６４  ベゼル当接部
２６５  ねじ挿通孔
２７  ベゼル
２７１  側板部
２７２  前板部
２７３  ねじ頭係止部
２７４  ねじ挿通孔
３０  ＬＥＤ基板
３１  ＬＥＤ
３２  ねじ
３５  ソース基板（駆動回路基板）
【図１】
2015063883.tif 000003
【図２】
2015063883.tif 000004
【図３】
2015063883.tif 000005
【図４】
2015063883.tif 000006
【図５】
2015063883.tif 000007
【図６】
2015063883.tif 000008
【図７】
2015063883.tif 000009
【図８】
2015063883.tif 000010
【図９】
2015063883.tif 000011
【図１０】
2015063883.tif 000012
【図１１】
2015063883.tif 000013
【図１２】
2015063883.tif 000014
【図１３】
2015063883.tif 000015
【図１４】
2015063883.tif 000016
【手続補正書】
【提出日】平成28年4月14日(2016.4.14)
【手続補正１】
【補正対象書類名】特許請求の範囲
【補正対象項目名】全文
【補正方法】変更
【補正の内容】
【特許請求の範囲】
【請求項１】
導光板と、複数の発光素子を有する基板を保持し、前記導光板の側面に対向して配される基板保持板と、前記導光板の主面に対向して配される表示パネルと、前記基板保持板を覆うとともに前記表示パネルを保持するパネル保持部材と、前記表示パネルの周縁部及び前記パネル保持部材を覆うベゼルとを備える表示装置において、
前記基板保持板には、前記表示パネルと反対側に突出する取付部が延設され、
前記パネル保持部材に、前記ベゼル側に突出して該ベゼルの裏面に当接するベゼル当接部が設けられており、
前記パネル保持部材及び前記ベゼルの両方が、留め具により前記取付部に取り付けられるように構成されていることを特徴とする表示装置。
【請求項２】
前記留め具はねじであり、
前記取付部には雌ねじが形成されており、
前記ベゼルは、前記ねじの頭部の周縁部が係止されるねじ頭係止部及び前記ねじの脚部が挿通されるねじ挿通孔を有し、
前記ベゼル当接部が前記ねじ頭係止部に当接され、前記周縁部が前記ねじ頭係止部に係止され、前記脚部が前記ねじ挿通孔を挿通された状態で前記雌ねじに捩じ込まれていることを特徴とする請求項１に記載の表示装置。
【請求項３】
前記パネル保持部材の前記基板保持板を覆う部分の外側に、前記表示パネルを駆動するための複数の駆動回路基板が配置された場合、
前記ねじの締結位置は、隣り合う駆動回路基板の間であることを特徴とする請求項２に記載の表示装置。
【請求項４】
前記隣り合う駆動回路基板の対向する部分には、凹部が形成されていることを特徴とする請求項３に記載の表示装置。
【請求項５】
前記パネル保持部材の前記基板保持板を覆う部分の外側に、前記表示パネルを駆動するための複数の駆動回路基板が配置された場合、
前記ねじの締結位置は、前記パネル保持部材の長手方向の端部の前記駆動回路基板が設けられていない部分であることを特徴とする請求項２に記載の表示装置。
【請求項６】
前記パネル保持部材の前記基板保持板を覆う部分の外側に、前記表示パネルを駆動するための複数の駆動回路基板が配置された場合、
前記ねじの締結位置は、前記パネル保持部材の前記駆動回路基板が設けられている部分に対し、前記表示パネルと反対側の部分であることを特徴とする請求項２に記載の表示装置。
【請求項７】
前記取付部に、前記ベゼル側に突出して前記ねじ頭係止部の裏面に当接する第２のベゼル当接部が設けられていることを特徴とする請求項２から６までのいずれか１項に記載の表示装置。
【請求項８】
前記ベゼル当接部が、前記ねじを挿通される形状を有していることを特徴とする請求項２から６までのいずれか１項に記載の表示装置。
【請求項９】
前記基板保持板に垂直に設けられ、前記導光板の平面を被覆する導光板被覆板を備えることを特徴とする請求項１から８までのいずれか１項に記載の表示装置。
【請求項１０】
前記取付部に、放熱のためのフィンが設けられていることを特徴とする請求項１から９までのいずれか１項に記載の表示装置。
【手続補正書】
【提出日】平成28年5月10日(2016.5.10)
【手続補正１】
【補正対象書類名】明細書
【補正対象項目名】００１２
【補正方法】変更
【補正の内容】
【００１２】
パネル保持部材２６は、下板部２６１と、パネル当接部２６２と、シート当接部２６３とを有する。
下板部２６１は水平方向に延びており、基板保持板２４の下板部２４１に当接され、下板部２４１を支持する。下板部２６１の下面には、ソース基板（不図示）が４つ配されている。下板部２４１の、隣接するソース基板が配される隙間部分には、ねじ挿通孔２６８が設けられている。
パネル当接部２６２は下板部２６１に立設され、緩衝部材３３を介し表示パネル２１の背面の下端縁部に当接されている。
パネル当接部２６２の上側にはシート当接部２６３が連設され、シート当接部２６３の背面は緩衝部材３４を介し光学シート群２２の正面の下部に当接されている。
【手続補正２】
【補正対象書類名】明細書
【補正対象項目名】００５２
【補正方法】変更
【補正の内容】
【００５２】
ＬＥＤ基板３０は、例えばアルミニウム製の基板の平面に、導光板２３内へ導入する光を発光する複数のＬＥＤ３１を実装してなり、上述したように導光板２３の下側の長側面側に配されている。ＬＥＤ基板３０は、前記長側面に沿って延び、各ＬＥＤ３１が導光板２３の長側面と対向する。
ＬＥＤ基板３０は、基板保持板２４の下板部２４１の上面に保持されている。
【手続補正３】
【補正対象書類名】明細書
【補正対象項目名】００５４
【補正方法】変更
【補正の内容】
【００５４】
パネル当接部２６２は、下板部２６１に立設された立設部と、立設部の上側に連設され、側面視が横向きのＵ字型をなす当接部とを有する。当接部のＵ字の開口部に緩衝部材３３が架かった状態で、当接部は表示パネル２１の背面の下端縁部に当接され、表示パネル２１を支持している。また、当接部の背面は、緩衝部材３４を介し導光板２３の正面の下端縁部に当接されている。そして、当接部の上面に光学シート群２２の下面が当接され、光学シート群２２が支持されている。
パネル当接部２６２の上側にはシート当接部２６３が連設され、光学シート群２２の背面の下部に当接されている。
下板部２６１の背面側の端部にはベゼル当接部２６４が垂設され、後述するベゼル２７のねじ頭係止部２７３に当接されるように構成されている。
【手続補正４】
【補正対象書類名】明細書
【補正対象項目名】００５８
【補正方法】変更
【補正の内容】
【００５８】
実施の形態２．
本発明の実施の形態２に係る表示モジュール１２は、基板保持板２４の形状が異なること以外は、実施の形態１に係る表示モジュール２と同様の構成を有する。
図５は、実施の形態２に係る表示モジュール１２を示す一部縦断面図である。図中、図４と同一部分は同一符号を付して詳細な説明を省略する。
基板保持板２４は例えばアルミニウムからなり、導光板２３の下側の長側面を覆う下板部２４１と、該下板部２４１に垂直に設けられ、導光板２３の長手方向に沿って延びる背板部２４２と、下板部２４１の背面側端部から突出した取付部２４３と、取付部２４３の下面に垂設され、ベゼル２７のねじ頭係止部２７３の上面に当接されるベゼル当接部２４５とを備える。
【手続補正５】
【補正対象書類名】明細書
【補正対象項目名】００６５
【補正方法】変更
【補正の内容】
【００６５】
本実施の形態においては、ベゼル当接部２６４は、下板部２６１の横方向の両端部の、ソース基板３５が配されない部分に設けられている。ベゼル当接部２６４にベゼル２７が当接された上で、ねじ３２がねじ挿通孔２７４及びベゼル当接部２６４を挿通され、取付部２４３の雌ねじ２４４に捩じ込まれる。すなわち、ねじ３２の締結位置は、ソース基板３５の配置位置より端部側にあり、ソース基板３５の配置に制約されることなく、基板保持板２４にパネル保持部材２６及びベゼル２７を固定することができる。
【手続補正６】
【補正対象書類名】明細書
【補正対象項目名】００６７
【補正方法】変更
【補正の内容】
【００６７】
基板保持板２４は例えばアルミニウムからなり、導光板２３の下側の長側面を覆う下板部２４１と、該下板部２４１に垂直に設けられ、導光板２３の長手方向に沿って延びる背板部２４２と、下板部２４１の背面側端部から後方に突出した取付部２４３とを備える。取付部２４３は下板部２４１の下端縁部に沿って延びる。取付部２４３には複数の雌ねじ２４４（不図示）が設けられており、雌ねじ２４４が設けられていない部分には、図１０に示すように、複数のフィン２４６が正背方向に並設されている。
【手続補正７】
【補正対象書類名】明細書
【補正対象項目名】００７１
【補正方法】変更
【補正の内容】
【００７１】
パネル保持部材２６は側面視がＬ字状をなす枠体であり、下板部２６１と、パネル当接部２６２と、シート当接部２６３とを有する。実施の形態１に係るパネル保持部材２６と異なり、ベゼル当接部２６４は有しない。
下板部２６１は基板保持板２４の下板部２４１に当接され、下板部２４１を支持する。下板部２６１の下面には、ソース基板（不図示）が配されている。
パネル当接部２６２は、下板部２６１に立設された立設部と、立設部の上側に連設され、側面視が横向きのＵ字型をなす当接部とを有する。当接部のＵ字の開口部に緩衝部材３３が架かった状態で、当接部は表示パネル２１の背面の下端縁部に当接され、表示パネル２１を支持する。そして、当接部の上面に光学シート群２２の下面が当接され、光学シート群２２が支持されている。
パネル当接部２６２の上側にはシート当接部２６３が連設され、光学シート群２２の背面の下部に当接されている。
【手続補正８】
【補正対象書類名】明細書
【補正対象項目名】００７７
【補正方法】変更
【補正の内容】
【００７７】
パネル保持部材２６は側面視がＬ字状をなす枠体であり、下板部２６１と、パネル当接部２６２と、シート当接部２６３と、ねじ挿通孔２６５とを有する。実施の形態１に係るパネル保持部材２６と異なり、ベゼル当接部２６４は有しない。
下板部２６１は基板保持板２４の下板部２４１に当接され、下板部２４１を支持する。下板部２６１の下面には、複数のソース基板（不図示）が配されている。下板部２６１の背面側端部には複数のねじ挿通孔２６５が設けられている。
パネル当接部２６２は、下板部２６１に立設された立設部と、立設部の上側に連設され、側面視が横向きのＵ字型をなす当接部とを有する。当接部のＵ字の開口部に緩衝部材３３が架かった状態で、当接部は表示パネル２１の背面の下端縁部に当接され、表示パネル２１を支持する。そして、当接部の上面に光学シート群２２の下面が当接され、光学シート群２２が支持される。
パネル当接部２６２の上側にはシート当接部２６３が連設され、光学シート群２２の背面の下部に当接されている。
【手続補正９】
【補正対象書類名】図面
【補正対象項目名】図１０
【補正方法】変更
【補正の内容】
【図１０】
2015063883.tif 000017
【国際調査報告】
2015063883.tif 000018
2015063883.tif 000019
2015063883.tif 000020
2015063883.tif 000021